(57)【特許請求の範囲】
【請求項１】
第１操作部及び第２操作部が操作されたことに基づき遊技に用いる遊技媒体の出率を変更する遊技機において、
前記第１操作部を覆う第１被覆位置と、前記第１操作部が露出する第１露出位置とにスライド移動可能な第１蓋部材と、
前記第２操作部を覆う第２被覆位置と、前記第２操作部が露出する第２露出位置とに回動可能な第２蓋部材と
を設け、
前記第１蓋部材には、前記第２蓋部材側に突出し、前記第２蓋部材が前記第２被覆位置から前記第２露出位置に移動することを規制する規制部を設け、前記第２蓋部材には、当該第２蓋部材が少なくとも前記第２被覆位置にある場合に前記規制部をスライド移動可能に支持する支持部を設け、
前記第１蓋部材を、前記第１被覆位置から前記第１露出位置側に移動させた場合に特定位置でそれ以上の移動が規制される構成とし、
前記第２蓋部材を、前記第１蓋部材が前記第１被覆位置と前記特定位置との間の規定位置にある場合に限り、前記第２露出位置側への移動が許容される構成とし、
前記第２蓋部材には、前記第１蓋部材が前記規定位置にある場合の前記規制部と対応する位置に、前記規制部を挿通させることが可能な開口部を設けたことを特徴とする遊技機。
【発明の詳細な説明】
【技術分野】
【０００１】
本発明は、スロットマシン等の遊技機に関するものである。
【背景技術】
【０００２】
例えばスロットマシン等の遊技機においては、遊技に関する制御を行うための制御装置が筐体内部に設けられており、当該制御装置により、当たり抽選や遊技媒体の付与に関する制御等が行われるようになっている。また、制御装置には、例えばビッグボーナス役等の所定役の当選確率が異なる抽選テーブルが予め複数記憶されており、筐体内部には、当たり抽選の際に用いる抽選テーブルを設定するための操作部が設けられている。そして、遊技機を設置する遊技場の管理者等が操作部を操作することにより、遊技媒体の出率（使用された遊技媒体に対する付与した遊技媒体の割合の期待値）を調整できるようになっている。
【０００３】
設定されている抽選テーブルを変更する（設定変更する）場合には、先ず、筐体の前面側を覆う前面扉を開放し、筐体内部に設けられた電源スイッチをオフ操作して電源を遮断する。その後、第１操作部としての設定キースイッチに設定キーを挿入して設定キースイッチをオン操作し、かかる状態で電源スイッチをオン操作して電源を復旧させる。そして、第２操作部としての設定変更スイッチを操作することで所望の抽選テーブルを選択し、スタートレバーを操作することで抽選テーブルを決定する。その後、設定キースイッチをオフ操作する。上記操作を行うことにより、それ以降の当たり抽選が選択された抽選テーブルを用いて行われるようになる。
【０００４】
かかる構成の遊技機においては、電源スイッチ，設定キースイッチ及び設定変更スイッチが筐体内部に設けられており、遊技場の管理者等に限って前面扉を正規に開放できるため、遊技場の管理者等によって設定された抽選テーブルから当該抽選テーブルより出率の高い抽選テーブルに変更される不正を抑制することが可能となる（例えば特許文献１参照）。
【先行技術文献】
【特許文献】
【０００５】
【特許文献１】特開２００７−１８１６２２号公報
【発明の概要】
【発明が解決しようとする課題】
【０００６】
しかしながら、例えば前面扉と筐体の隙間から針金等を筐体内部に挿入し、前面扉を開放することなく設定を変更する不正行為が考えられ、かかる不正行為は、前面扉が開放されないために発見が困難であると考えられる。
【０００７】
なお、以上の問題は、抽選テーブルを複数備えたスロットマシンに限らず、遊技機内部に設けられた操作部を操作することで設定変更を行うことが可能な他の遊技機にも該当する問題である。
【０００８】
本発明は上記例示した事情等に鑑みてなされたものであり、設定が不正に変更されることを好適に抑制することが可能な遊技機を提供することを目的とするものである。
【課題を解決するための手段】
【０００９】
請求項１に記載の発明では、第１操作部及び第２操作部が操作されたことに基づき遊技に用いる遊技媒体の出率を変更する遊技機において、前記第１操作部を覆う第１被覆位置と、前記第１操作部が露出する第１露出位置とにスライド移動可能な第１蓋部材と、前記第２操作部を覆う第２被覆位置と、前記第２操作部が露出する第２露出位置とに回動可能な第２蓋部材とを設け、前記第１蓋部材には、前記第２蓋部材側に突出し、前記第２蓋部材が前記第２被覆位置から前記第２露出位置に移動することを規制する規制部を設け、前記第２蓋部材には、当該第２蓋部材が少なくとも前記第２被覆位置にある場合に前記規制部をスライド移動可能に支持する支持部を設け、前記第１蓋部材を、前記第１被覆位置から前記第１露出位置側に移動させた場合に特定位置でそれ以上の移動が規制される構成とし、前記第２蓋部材を、前記第１蓋部材が前記第１被覆位置と前記特定位置との間の規定位置にある場合に限り、前記第２露出位置側への移動が許容される構成とし、前記第２蓋部材には、前記第１蓋部材が前記規定位置にある場合の前記規制部と対応する位置に、前記規制部を挿通させることが可能な開口部を設けたことを特徴とする。
【発明の効果】
【００１０】
設定が不正に変更されることを好適に抑制することが可能となる。
【図面の簡単な説明】
【００１１】
【図１】一実施の形態におけるスロットマシンの正面図。
【図２】前面扉を閉じた状態を示すスロットマシンの斜視図。
【図３】前面扉を開いた状態を示すスロットマシンの斜視図。
【図４】前面扉の背面図。
【図５】筐体の正面図。
【図６】第１蓋部材及び第２蓋部材を閉鎖した状態を示す主制御装置の正面図。
【図７】第１蓋部材及び第２蓋部材を開放した状態を示す主制御装置の正面図。
【図８】第１蓋部材を開放した状態を示す要部拡大図。
【図９】第１蓋部材を取り外した状態を示す要部斜視図。
【図１０】第２溝部及び案内溝部の形状を示す要部断面斜視図。
【図１１】第１蓋部材及び第２蓋部材の取付作業を説明するための図。
【図１２】第１蓋部材及び第２蓋部材の取付作業を説明するための図。
【図１３】当選確率設定処理を示すフローチャート。
【図１４】第２の実施の形態における第１蓋部材及び第２蓋部材を示す要部斜視図。
【図１５】第１蓋部材及び第２蓋部材の作用を説明するための図。
【図１６】第１蓋部材及び第２蓋部材の作用を説明するための図。
【発明を実施するための形態】
【００１２】
以下、本発明の遊技機を手段として区分して示し、必要に応じて効果等を示しつつ説明する。なお以下においては、理解の容易のため、発明の実施の形態において対応する構成を括弧書き等で適宜示すが、この括弧書き等で示した具体的構成に限定されるものではない。
【００１３】
手段１．遊技機前方に開口された筐体と、
該筐体の開口側に開閉可能に取り付けられた扉体と
を備え、
遊技機内部に設けられた第１操作部及び第２操作部が操作されたことに基づき遊技に用いる遊技媒体の出率を変更する遊技機において、
前記第１操作部を覆う第１被覆位置と、前記第１操作部が露出する第１露出位置とにスライド移動可能な第１蓋部材と、
前記第２操作部を覆う第２被覆位置と、前記第２操作部が露出する第２露出位置とに回動可能な第２蓋部材と
を設け、
前記第１蓋部材には、前記第２蓋部材側に突出し、前記第２蓋部材が前記第２被覆位置から前記第２露出位置に移動することを規制する規制部を設け、前記第２蓋部材には、当該第２蓋部材が少なくとも前記第２被覆位置にある場合に前記規制部をスライド移動可能に支持する支持部を設けたことを特徴とする遊技機。
【００１４】
手段１によれば、第１操作部を覆う第１被覆位置にスライド移動可能な第１蓋部材と、第２操作部を覆う第２被覆位置に回動可能な第２蓋部材を設けたため、遊技機を設置する遊技場の管理者等が出率を設定した後、各蓋部材を対応する被覆位置に移動させた後に扉体を閉鎖すれば、扉体を開放することなく前記設定が不正に変更されることを好適に抑制することが可能となる。
【００１５】
また、第１蓋部材には、第２蓋部材側に突出し、第２蓋部材が第２被覆位置から第２露出位置に移動することを規制する規制部が設けられている。かかる構成においては、規制部による規制を解除しない限り、第２蓋部材を第２露出位置に移動させることができない。故に、両操作部が不正に露出されることを困難なものとすることができ、設定が不正に変更されることを好適に抑制することが可能となる。加えて、設定を変更するためには、規制部による規制を解除することと、各蓋部材を対応する露出位置側に移動させることとを行う必要があるため、針金等を用いて設定を不正に変更する場合の必要時間を長くすることが可能となり、不正行為を容易に発見することが可能となる。
【００１６】
さらに、規制部を第２蓋部材側に突出する構成とし、第２蓋部材には、当該第２蓋部材が少なくとも第２被覆位置にある場合に規制部をスライド移動可能に支持する支持部が設けられている。このため、両蓋部材を対応する露出位置から閉鎖位置に移動させる場合、所定の順序で各蓋部材を移動させる必要が生じ、前記所定の順序で各蓋部材を移動させなかった場合、第２蓋部材の第２被覆位置への移動が規制部によって規制されたり、規制部が支持部に支持されなかったりする。故に、扉体を開放することなく設定が不正に変更された場合に、両蓋部材が対応する被覆位置に位置していない異常や規制部が支持部に支持されていない異常を生じさせる、すなわち不正の痕跡を残させることが可能となり、不正を容易に発見することが可能となる。
【００１７】
以上の結果、不正に設定が変更されることを好適に抑制することが可能となる。
【００１８】
なお、「第１操作部（第２操作部）を覆う」とは、第１操作部（第２操作部）が操作不可能に覆われていれば良い。以下も同じである。
【００１９】
手段２．上記手段１において、前記第１蓋部材を、前記第１被覆位置から前記第１露出位置側に移動させた場合に特定位置でそれ以上の移動が規制される構成とし、前記第２蓋部材を、前記第１蓋部材が前記第１被覆位置と前記特定位置との間の規定位置にある場合に限り、前記第２露出位置側への移動が許容される構成としたことを特徴とする遊技機。
【００２０】
手段２によれば、第２蓋部材は、第１蓋部材が規定位置にある場合に限り、第２露出位置側への移動が許容される。かかる構成とすることにより、設定が不正に変更されることを好適に抑制することが可能となる。筐体と扉体の隙間から針金等が挿入され、第１蓋部材が第１露出位置側に移動するよう前記針金等により引っ張られた場合、第１蓋部材は規定位置を通過し特定位置でそれ以上の移動が規制されることとなるが、第１蓋部材が特定位置にある場合、第２蓋部材は第２露出位置側への移動が規制されたままであり、第２操作部を露出させることができないからである。
【００２１】
手段３．上記手段２において、前記第２蓋部材には、前記第１蓋部材が前記規定位置にある場合の前記規制部と対応する位置に、前記規制部を挿通させることが可能な開口部を設けたことを特徴とする遊技機。
【００２２】
手段３によれば、第２蓋部材には、第１蓋部材が規定位置にある場合の規制部と対応する位置に、規制部を挿通させることが可能な開口部が設けられている。かかる構成とすることにより、第１蓋部材を規定位置に移動させれば規制部による第２蓋部材の規制を解除することができ、遊技機を設置する遊技場の管理者等が出率を設定する際の作業、すなわち正規に出率を設定する際の作業が煩雑化することを抑制することが可能となる。
【００２３】
手段４．上記手段１において、前記第１蓋部材を、前記第２蓋部材の上方に配置するとともに、前記第１蓋部材と前記第２蓋部材が少なくとも対応する被覆位置にある場合、前記支持部と第２支持部とにより下方への移動が規制される構成とし、前記第２支持部には、前記第１蓋部材が第２特定位置にある場合に前記第１蓋部材の下方への移動規制を解除する規制解除部を設けたことを特徴とする遊技機。
【００２４】
手段４によれば、第１蓋部材は、第２蓋部材の上方に配置されるとともに、第１蓋部材と第２蓋部材が少なくとも対応する被覆位置にある場合、支持部と第２支持部とにより下方への移動が規制されている。そして、第２支持部には、第１蓋部材が第２特定位置にある場合に第１蓋部材の下方への移動規制を解除する規制解除部が設けられている。かかる構成においては、第１蓋部材の規制部が第２蓋部材の支持部に支持されていない状況下で第１蓋部材を第２特定位置に移動させた場合、第１蓋部材に対して上向きに外力を加えていない限り第１蓋部材が落下することとなる。したがって、不正行為者が筐体と扉体の隙間から針金等を用いて両蓋部材を対応する露出位置に移動させ、その後に第１蓋部材を第１被覆位置に移動させようと試みた場合、第１蓋部材の位置を把握することが困難であるため、第２特定位置にて第１蓋部材を落下させてしまう機会を生じさせることができる。故に、仮に設定が不正に変更された場合であっても第１蓋部材の落下という痕跡を残させることが可能となり、不正行為を容易に発見することが可能となる。
【００２５】
手段５．上記手段２又は手段３において、前記第１蓋部材を、前記第２蓋部材の上方に配置するとともに、前記第１蓋部材と前記第２蓋部材が少なくとも対応する被覆位置にある場合、前記支持部と第２支持部とにより下方への移動が規制される構成とし、前記第２支持部には、前記第１蓋部材が前記第１被覆位置と前記特定位置との間の第２特定位置にある場合に前記第１蓋部材の下方への移動規制を解除する規制解除部を設けたことを特徴とする遊技機。
【００２６】
手段５によれば、第１蓋部材は、第２蓋部材の上方に配置されるとともに、第１蓋部材と第２蓋部材が少なくとも対応する被覆位置にある場合、支持部と第２支持部とにより下方への移動が規制されている。そして、第２支持部には、第１蓋部材が第１被覆位置と特定位置との間の第２特定位置にある場合に第１蓋部材の下方への移動規制を解除する規制解除部が設けられている。かかる構成においては、第１蓋部材の規制部が第２蓋部材の支持部に支持されていない状況下で第１蓋部材を第２特定位置に移動させた場合、第１蓋部材に対して上向きに外力を加えていない限り第１蓋部材が落下することとなる。したがって、不正行為者が筐体と扉体の隙間から針金等を用いて両蓋部材を対応する露出位置に移動させ、その後に第１蓋部材を第１被覆位置に移動させようと試みた場合、第１蓋部材の位置を把握することが困難であるため、第２特定位置にて第１蓋部材を落下させてしまう機会を生じさせることができる。故に、仮に設定が不正に変更された場合であっても第１蓋部材の落下という痕跡を残させることが可能となり、不正行為を容易に発見することが可能となる。
【００２７】
手段６．上記手段５において、前記第２支持部には、前記第２特定位置が前記規定位置と異なる位置となるように前記規制解除部を設けたことを特徴とする遊技機。
【００２８】
手段６によれば、第２支持部には、第２特定位置が規定位置と異なる位置となるように規制解除部が設けられている。かかる構成とすることにより、遊技場の管理者等が第１蓋部材を規定位置に移動させて第２蓋部材を第２露出位置側に移動させようとした際に第１蓋部材が落下してしまうことを防止できる。
【００２９】
手段７．上記手段１乃至手段６のいずれかにおいて、前記第１蓋部材が前記第１被覆位置から前記第１露出位置に移動する向きと、前記第２蓋部材が前記第２被覆位置から前記第２露出位置に移動する向きとが異なるように前記第１蓋部材と前記第２蓋部材を取り付けたことを特徴とする遊技機。
【００３０】
手段７によれば、第１蓋部材が第１被覆位置から第１露出位置に移動する向きと、第２蓋部材が第２被覆位置から第２露出位置に移動する向きとが異なるように第１蓋部材と第２蓋部材を取り付けたため、筐体と扉体の隙間から針金等が挿入され、一方の蓋部材が対応する露出位置側に移動するよう前記針金等により引っ張られたとしても、他方の蓋部材が対応する露出位置に移動することを防止することができる。故に、仮に扉体を開放することなく筐体と扉体の隙間から針金等が挿入され、規制部による規制が解除されたとしても、第１操作部と第２操作部を共に露出させることを困難なものとすることができ、設定が不正に変更されることを好適に抑制することが可能となる。また、針金等を用いて両蓋部材を対応する露出位置に移動させるためには、筐体と扉体の隙間から針金等を複数挿入させ、これら針金等を異なる向きに引っ張る必要がある。故に、不正行為を目立たせることが可能となり、不正行為を容易に発見することが可能となる。
【００３１】
手段８．上記手段１乃至手段６のいずれかにおいて、前記第２蓋部材に係止部を設け、前記第２蓋部材が前記第２露出位置に位置している状況下で前記第１蓋部材を前記第１被覆位置より前記第１露出位置側の第１位置に移動させた場合、前記規制部と前記係止部が係止し、前記第２蓋部材の前記第２被覆位置側への移動が規制される構成としたことを特徴とする遊技機。
【００３２】
手段８によれば、第２蓋部材には係止部が設けられており、第２蓋部材が第２露出位置に位置している状況下で第１蓋部材を第１被覆位置より第１露出位置側の第１位置に移動させた場合、規制部と係止部が係止して第２蓋部材の第２被覆位置側への移動が規制されるようになっている。かかる構成においては、第２操作部を操作する際に第２蓋部材が第２被覆位置に移動しないよう遊技場の管理者等が第２蓋部材を保持する必要がなくなるため、出率を設定する際の作業が煩雑化することを抑制することが可能となる。
【００３３】
手段９．上記手段８において、前記第１蓋部材が前記第１位置にある場合、前記第１操作部が露出するように前記第１蓋部材と前記第２蓋部材を配置したことを特徴とする遊技機。
【００３４】
手段９によれば、第１蓋部材が第１位置にある場合には第１操作部が露出するため、第１蓋部材の規制部が第２蓋部材の係止部と係止している状況下では、第１操作部と第２操作部が共に露出することとなる。故に、遊技場の管理者等が出率を設定する際の作業を容易なものとすることが可能となる。
【００３５】
手段１０．上記手段１乃至手段９のいずれかにおいて、前記第１操作部は、遊技媒体の出率を変更する場合と、遊技機を所定の異常状態から正常状態に復帰させる場合とに操作されるものであることを特徴とする遊技機。
【００３６】
手段１０によれば、第１操作部は、遊技媒体の出率を変更する場合の他に、遊技機を所定の異常状態から正常状態に復帰させる場合にも操作される。つまり、第１操作部は、遊技機を設置する遊技場の営業時間内に操作される可能性がある。そこで、当該第１操作部を覆う第１被覆位置に移動可能な第１蓋部材に規制部を設けることにより、第２蓋部材を移動させることなく第１蓋部材を第１露出位置に移動させることが可能となり、遊技場の管理者等が遊技機を所定の異常状態から正常状態に復帰させる際の作業が煩雑化することを抑制することが可能となる。
【００３７】
手段１１．上記手段１乃至手段１０のいずれかにおいて、遊技及び遊技媒体の出率に関わる主要な制御を実行する制御基板を備え、前記制御基板に前記第１操作部と前記第２操作部を直接搭載したことを特徴とする遊技機。
【００３８】
手段１１によれば、第１操作部と第２操作部は制御基板に直接搭載されている。かかる構成とすることにより、制御基板と各操作部とを電気的に接続するケーブル等が不要となり、操作部を操作するのではなく前記ケーブル等をショートさせて設定を変更する不正を防止することが可能となる。
【００３９】
手段１２．上記手段１１において、前記制御基板を前記筐体内の後部に配置したことを特徴とする遊技機。
【００４０】
手段１２によれば、制御基板は筐体内の後部に配置されている。かかる構成とすることにより、筐体の前端部すなわち筐体と扉体の隙間から両操作部までの距離を長くすることが可能となり、針金等を用いて両操作部を操作することを困難なものとすることが可能となる。
【００４１】
手段１３．上記手段１乃至手段１２のいずれかにおいて、前記第１操作部及び前記第２操作部を、前記筐体から前記扉体が開放されるとともに少なくとも前記各蓋部材が対応する露出位置に移動された場合、遊技機前方から視認可能となる位置に設けたことを特徴とする遊技機。
【００４２】
手段１３によれば、第１操作部及び第２操作部は、筐体から扉体が開放されるとともに少なくとも各蓋部材が対応する露出位置に移動された場合、遊技機前方から視認可能となる位置に設けられている。筐体から扉体が開放された場合に遊技機前方から視認可能となる位置に第１操作部及び第２操作部が設けられた構成においては、遊技場の管理者等が出率を設定する際に各操作部を容易に操作することができる一方、筐体と扉体の隙間から針金等が挿入された場合、前記針金等を用いて容易に各操作部が操作される可能性が懸念される。しかしながら、上記手段１乃至手段１２のいずれかの構成を適用することにより、上記懸念を好適に解消することが可能となる。
【００４３】
なお、各蓋部材を透明な合成樹脂材料等により形成した構成においては、筐体から扉体が開放されるとともに各蓋部材が対応する露出位置に移動された場合に限らず、筐体から扉体が開放された場合にも各操作部が視認可能となる。
【００４４】
手段１４．第１操作部及び第２操作部が操作されたことに基づき遊技に用いる遊技媒体の出率を変更する遊技機において、
前記第１操作部を覆う第１被覆位置と、前記第１操作部が露出する第１露出位置とにスライド移動可能な第１蓋部材と、
前記第２操作部を覆う第２被覆位置と、前記第２操作部が露出する第２露出位置とに回動可能な第２蓋部材と
を設け、
前記第１蓋部材には、前記第２蓋部材側に突出し、前記第２蓋部材が前記第２被覆位置から前記第２露出位置に移動することを規制する規制部を設け、前記第２蓋部材には、当該第２蓋部材が少なくとも前記第２被覆位置にある場合に前記規制部をスライド移動可能に支持する支持部を設けたことを特徴とする遊技機。
【００４５】
手段１４によれば、第１操作部を覆う第１被覆位置にスライド移動可能な第１蓋部材と、第２操作部を覆う第２被覆位置に回動可能な第２蓋部材を設けたため、遊技機を設置する遊技場の管理者等が出率を設定した後、各蓋部材を対応する被覆位置に移動させれば、前記設定が不正に変更されることを好適に抑制することが可能となる。
【００４６】
また、第１蓋部材には、第２蓋部材側に突出し、第２蓋部材が第２被覆位置から第２露出位置に移動することを規制する規制部が設けられている。かかる構成においては、規制部による規制を解除しない限り、第２蓋部材を第２露出位置に移動させることができない。故に、両操作部が不正に露出されることを困難なものとすることができ、設定が不正に変更されることを好適に抑制することが可能となる。加えて、設定を変更するためには、規制部による規制を解除することと、各蓋部材を対応する露出位置側に移動させることとを行う必要があるため、針金等を用いて設定を不正に変更する場合の必要時間を長くすることが可能となり、不正行為を容易に発見することが可能となる。
【００４７】
さらに、規制部を第２蓋部材側に突出する構成とし、第２蓋部材には、当該第２蓋部材が少なくとも第２被覆位置にある場合に規制部をスライド移動可能に支持する支持部が設けられている。このため、両蓋部材を対応する露出位置から閉鎖位置に移動させる場合、所定の順序で各蓋部材を移動させる必要が生じ、前記所定の順序で各蓋部材を移動させなかった場合、第２蓋部材の第２被覆位置への移動が規制部によって規制されたり、規制部が支持部に支持されなかったりする。故に、設定が不正に変更された場合に、両蓋部材が対応する被覆位置に位置していない異常や規制部が支持部に支持されていない異常を生じさせる、すなわち不正の痕跡を残させることが可能となり、不正を容易に発見することが可能となる。
【００４８】
以上の結果、不正に設定が変更されることを好適に抑制することが可能となる。
【００４９】
以下、遊技機の一種である回胴式遊技機、具体的にはスロットマシンに適用した場合の一実施の形態を、図面に基づいて詳細に説明する。図１はスロットマシン１０の正面図、図２はスロットマシン１０の前面扉１２を閉じた状態の斜視図、図３はスロットマシン１０の前面扉１２を開いた状態の斜視図、図４は前面扉１２の背面図、図５は筐体１１の正面図である。
【００５０】
図１〜図５に示すように、スロットマシン１０は、その外殻を形成する筐体１１を備えている。筐体１１は、天板１１ａ，底板１１ｂ，背板１１ｃ，左側板１１ｄ及び右側板１１ｅからなり、全体として前面を開放した箱状に形成されている。
【００５１】
筐体１１の前面側には、前面扉１２が開閉可能に取り付けられている。すなわち、筐体１１には、その正面から見て左側部に上下一対の支軸１３ａ，１３ｂが設けられており、前面扉１２には、各支軸１３ａ，１３ｂと対応する位置に軸受部１４ａ，１４ｂが設けられている。そして、各軸受部１４ａ，１４ｂに各支軸１３ａ，１３ｂが挿入された状態では、前面扉１２が筐体１１に対して両支軸１３ａ，１３ｂを結ぶ上下方向へ延びる開閉軸線を中心として回動可能に支持され、前面扉１２の回動によって筐体１１の前面開放側を開放したり閉鎖したりすることができるようになっている。また、前面扉１２は、その裏面に設けられた施錠装置２０によって開放不能な施錠状態とされる。前面扉１２の右端側上部には、施錠装置２０と一体化されたキーシリンダ２１が設けられており、キーシリンダ２１に対する所定のキー操作によって前記施錠状態が解除されるように構成されている。
【００５２】
前面扉１２の中央部上寄りには、遊技者に遊技状態を報知する遊技パネル２５が設けられている。遊技パネル２５には、縦長の３つの表示窓２６Ｌ，２６Ｍ，２６Ｒが横並びに形成されており、各表示窓２６Ｌ，２６Ｍ，２６Ｒを通じてスロットマシン１０の内部が視認可能な状態となっている。なお、各表示窓２６Ｌ，２６Ｍ，２６Ｒを１つにまとめて共通の表示窓としてもよい。
【００５３】
図３に示すように、筐体１１は仕切り板３０によりその内部が上下２分割されており、仕切り板３０の上部には、可変表示手段を構成するリールユニット３１が取り付けられている。リールユニット３１は、円筒状（円環状）にそれぞれ形成された左リール３２Ｌ，中リール３２Ｍ，右リール３２Ｒを備えている。各リール３２Ｌ，３２Ｍ，３２Ｒは、その中心軸線が当該リールの回転軸線となるように回転可能に支持されている。各リール３２Ｌ，３２Ｍ，３２Ｒの回転軸線は略水平方向に延びる同一軸線上に配設され、それぞれのリール３２Ｌ，３２Ｍ，３２Ｒが各表示窓２６Ｌ，２６Ｍ，２６Ｒと１対１で対応している。したがって、各リール３２Ｌ，３２Ｍ，３２Ｒの表面の一部はそれぞれ対応する表示窓２６Ｌ，２６Ｍ，２６Ｒを通じて視認可能な状態となっている。また、リール３２Ｌ，３２Ｍ，３２Ｒが正回転すると、各表示窓２６Ｌ，２６Ｍ，２６Ｒを通じてリール３２Ｌ，３２Ｍ，３２Ｒの表面は上から下へ向かって移動しているかのように映し出される。
【００５４】
ここで、リールユニット３１の構成を簡単に説明する。
【００５５】
各リール３２Ｌ，３２Ｍ，３２Ｒは、それぞれがステッピングモータに連結されており、各ステッピングモータの駆動により各リール３２Ｌ，３２Ｍ，３２Ｒが個別に、すなわちそれぞれ独立して回転駆動し得る構成となっている。ステッピングモータは、例えば５０４パルスの駆動信号（以下、励磁パルスとも言う。）を与えることにより１回転されるように設定されており、この励磁パルスによってステッピングモータの回転位置、すなわちリールの回転位置が制御される。また、リールユニット３１には、リールが１回転したことを検出するためのリールインデックスセンサが各リール３２Ｌ，３２Ｍ，３２Ｒに設置されている。そして、リールインデックスセンサからは、リールが１回転したことを検出した場合、その検出の都度、後述する主制御装置１０１に検出信号が出力されるようになっている。このため主制御装置１０１は、リールインデックスセンサの検出信号と、当該検出信号が入力されるまでに出力した励磁パルス数とに基づいて、各リール３２Ｌ，３２Ｍ，３２Ｒの角度位置を１回転毎に確認するとともに補正することができる。
【００５６】
各リール３２Ｌ，３２Ｍ，３２Ｒの外周面には、その長辺方向（周回方向）に、識別情報としての図柄が複数個描かれている。より具体的には、２１個の図柄が等間隔に描かれている。このため、所定の位置においてある図柄を次の図柄へ切り替えるには、２４パルス（＝５０４パルス÷２１図柄）の励磁パルスの出力を要する。また、主制御装置１０１は、リールインデックスセンサの検出信号が入力されてから出力した励磁パルス数により、表示窓２６Ｌ，２６Ｍ，２６Ｒから視認可能な状態となっている図柄を把握したり、表示窓２６Ｌ，２６Ｍ，２６Ｒから視認可能な位置に所定の図柄を停止させたりする制御を行うことができる。
【００５７】
各表示窓２６Ｌ，２６Ｍ，２６Ｒは、対応するリールに付された２１個の図柄のうち図柄全体を視認可能となる図柄が３個となるように形成されている。このため、各リール３２Ｌ，３２Ｍ，３２Ｒがすべて停止している状態では、３×３＝９個の図柄が表示窓２６Ｌ，２６Ｍ，２６Ｒを介して視認可能な状態となる。本スロットマシン１０では、これら９個の図柄が視認可能となる各位置を結ぶようにして、横方向へ平行に３本、斜め方向へたすき掛けに２本、計５本の組合せラインが設定されている。そして、有効化された組合せライン、すなわち有効ライン上に図柄が所定の組合せで停止した場合には、入賞成立として、遊技媒体たるメダルが所定数払い出される特典が付与されたり、ビッグボーナス（以下、「ＢＢ」とも言う）状態等に遊技状態が移行される特典が付与されたりするようになっている。
【００５８】
遊技パネル２５の下方左側には、各リール３２Ｌ，３２Ｍ，３２Ｒの回転を開始させるために操作されるスタートレバー４１が設けられている。スタートレバー４１はリール３２Ｌ，３２Ｍ，３２Ｒを回転開始、すなわち図柄の可変表示を開始させるべく操作される開始操作手段又は始動操作手段を構成する。所定数のメダルが投入されている状態でスタートレバー４１を操作された場合、各リール３２Ｌ，３２Ｍ，３２Ｒが回転を開始するようになっている。
【００５９】
スタートレバー４１の右側には、回転している各リール３２Ｌ，３２Ｍ，３２Ｒを個別に停止させるために操作されるボタン状のストップスイッチ４２〜４４が設けられている。各ストップスイッチ４２〜４４は、停止対象となるリール３２Ｌ，３２Ｍ，３２Ｒに対応する表示窓２６Ｌ，２６Ｍ，２６Ｒの直下にそれぞれ配置されている。すなわち、左ストップスイッチ４２が操作された場合には左リール３２Ｌの回転が停止し、中ストップスイッチ４３が操作された場合には中リール３２Ｍの回転が停止し、右ストップスイッチ４４が操作された場合には右リール３２Ｒの回転が停止する。ストップスイッチ４２〜４４はリール３２Ｌ，３２Ｍ，３２Ｒの回転に基づく図柄の可変表示を停止させるべく操作される停止操作手段を構成する。
【００６０】
表示窓２６Ｌ，２６Ｍ，２６Ｒの下方右側には、メダルを投入するためのメダル投入口４５が設けられている。メダル投入口４５は遊技媒体を入力する入力手段を構成する。また、メダル投入口４５が遊技者によりメダルを直接投入するという動作を伴う点に着目すれば、遊技媒体を直接入力する直接入力手段を構成するものとも言える。
【００６１】
メダル投入口４５から投入されたメダルは、前面扉１２の背面に設けられた通路切替手段としてのセレクタ４６によって貯留用通路４７か排出用通路４８のいずれかへ導かれる。より詳しくは、セレクタ４６にはメダル通路切替ソレノイド４６ａが設けられており、そのメダル通路切替ソレノイド４６ａの非励磁時にはメダルが排出用通路４８側に導かれ、前記メダル通路切替ソレノイド４６ａの励磁時にはメダルが貯留用通路４７側に導かれるようになっている。貯留用通路４７に導かれたメダルは、筐体１１の内部に収納されたホッパ装置５１へと導かれる。一方、排出用通路４８に導かれたメダルは、前面扉１２の前面下部に設けられたメダル排出口４９からメダル受け皿５０へと導かれ、遊技者に返還される。
【００６２】
ホッパ装置５１は、メダルを貯留する貯留タンク５２と、メダルを遊技者に払い出す払出装置５３とより構成されている。払出装置５３は、図示しないメダル払出用回転板を回転させることにより、排出用通路４８に設けられた開口４８ａへメダルを排出し、排出用通路４８を介してメダル受け皿５０へメダルを払い出すようになっている。また、ホッパ装置５１の右方には、貯留タンク５２内に所定量以上のメダルが貯留されることを回避するための予備タンク５４が設けられている。ホッパ装置５１の貯留タンク５２内部には、この貯留タンク５２から予備タンク５４へとメダルを排出する誘導プレート５２ａが設けられている。したがって、誘導プレート５２ａが設けられた高さ以上にメダルが貯留された場合、かかるメダルが予備タンク５４に貯留されることとなる。
【００６３】
メダル投入口４５の下方には、ボタン状の返却スイッチ５５が設けられている。メダル投入口４５に投入されたメダルがセレクタ４６内に詰まった状況下で返却スイッチ５５を操作された場合、セレクタ４６が機械的に連動して動作され、当該セレクタ４６内に詰まったメダルがメダル排出口４９から返却されるようになっている。
【００６４】
表示窓２６Ｌ，２６Ｍ，２６Ｒの下方左側には、遊技媒体としてのクレジットされた仮想メダルを一度に３枚投入するための第１クレジット投入スイッチ５６が設けられている。また、第１クレジット投入スイッチ５６の左方には、第２クレジット投入スイッチ５７と、第３クレジット投入スイッチ５８とが設けられている。第２クレジット投入スイッチ５７は仮想メダルを一度に２枚投入するためのものであり、第３クレジット投入スイッチ５８は仮想メダルを１枚投入するためのものである。各クレジット投入スイッチ５６〜５８は前記メダル投入口４５とともに遊技媒体を入力する入力手段を構成する。また、メダル投入口４５が遊技者によりメダルを直接投入するという動作を伴うのに対し、各クレジット投入スイッチ５６〜５８は貯留記憶に基づく仮想メダルの投入という動作を伴うに過ぎない点に着目すれば、遊技媒体を間接入力する間接入力手段を構成するものとも言える。
【００６５】
スタートレバー４１の左方には、精算スイッチ５９が設けられている。すなわち、本スロットマシン１０では、所定の最大値（メダル５０枚分）となるまでの余剰の投入メダルや入賞時の払出メダルを仮想メダルとして貯留記憶するクレジット機能を有しており、仮想メダルが貯留記憶されている状況下で精算スイッチ５９を操作された場合、仮想メダルが現実のメダルとしてメダル排出口４９から払い出されるようになっている。この場合、クレジットされた仮想メダルを現実のメダルとして払い出すという機能に着目すれば、精算スイッチ５９は貯留記憶された遊技媒体を実際に払い出すための精算操作手段を構成するものとも言える。
【００６６】
遊技パネル２５の表示窓２６Ｌ，２６Ｍ，２６Ｒ下方には、クレジットされている仮想メダル数を表示するクレジット表示部６０と、ＢＢ状態が終了するまでに払い出される残りのメダル数を表示する残払出枚数表示部６１と、入賞成立時に払い出したメダルの枚数を表示する払出枚数表示部６２とがそれぞれ設けられている。これら表示部６０〜６２は７セグメント表示器によって構成されているが、液晶表示器等によって代替することは当然可能である。
【００６７】
前面扉１２の上部には、遊技の進行に伴い点灯したり点滅したりする上部ランプ６３と、遊技の進行に伴い種々の効果音を鳴らしたり、遊技者に遊技状態を報知したりする左右一対のスピーカ６４と、遊技者に各種情報を与える補助表示部６５とが設けられている。補助表示部１５の背面には、上部ランプ６３やスピーカ６４、補助表示部６５を駆動させるための表示制御装置８１が設けられている。
【００６８】
筐体１１の内部においてホッパ装置５１の左方には、電源ボックス７０が設けられている。電源ボックス７０は、その内部に電源装置９１を収容するとともに、電源スイッチ７１を備えている。電源スイッチ７１は、主制御装置１０１を始めとする各部に電源を供給するための起動スイッチである。
【００６９】
リールユニット３１の上方には、主制御装置ユニット１００が取り付けられている。主制御装置ユニット１００は、遊技を統括管理する主制御装置１０１と、主制御装置１０１を搭載する台座装置１５１とを備えている。台座装置１５１は、筐体１１の背板１１ｃに取付固定されており、当該台座装置１５１の前面側に主制御装置１０１が搭載されている。つまり、主制御装置１０１は、筐体１１内部において上部奥側に配置されている。
【００７０】
ここで、主制御装置１０１の構成を、図６及び図７に基づいて説明する。図６は第１蓋部材１３２及び第２蓋部材１４２を閉鎖した状態を示す主制御装置１０１の正面図、図７は第１蓋部材１３２及び第２蓋部材１４２を開放した状態を示す主制御装置１０１の正面図である。なお、以下では、主制御装置１０１がスロットマシン１０に取り付けられた状態（図５参照）を基準として、上下左右等の方向を特定することとする。
【００７１】
主制御装置１０１は、制御基板としての主基板が基板ボックス１１０に収容されて構成されている。
【００７２】
主基板は横長矩形状のプリント基板であって、その表面には、ＣＰＵやＲＯＭ等を備えたＩＣチップの他に、被コネクタ受け部としてのソケット１０３等が搭載されている。ソケット１０３には、リールユニット３１等の他の装置と接続されたケーブルコネクタ（図示略）や、スタートレバー４１の操作を検出するスタート検出センサ、ストップスイッチ４２〜４４の操作を個別に検出するストップ検出センサ等の各種センサが接続されるようになっており、主基板１０２は、これらセンサからの入力結果に基づいて各リール３２Ｌ，３２Ｍ，３２Ｒの回転及び停止やメダルの払出等の制御を実行する。
【００７３】
主基板の前面側右部には、図７に示すように、リセットスイッチ１０４と設定キースイッチ１０５が直付け実装されている。リセットスイッチ１０４は、スロットマシン１０をエラー状態から復帰させる場合や、スロットマシン１０の設定値（役の当選確率）を変更する場合に押し操作されるスイッチである。設定キースイッチ１０５は、設定値を変更する場合や設定値を確認する場合に操作されるスイッチである。設定キースイッチ１０５の先端面には設定キー挿入孔１０５ａが設けられており、ホール管理者等が設定キーを挿入してＯＮ側に回動操作（ＯＮ操作）することにより、スロットマシン１０の設定値を変更したりそのときの設定値を確認したりすることができるようになっている。主基板の前面側右下部には、設定キースイッチ１０５がＯＮ操作された場合に設定値を表示する設定表示部１０６が直付け実装されている。このように、主基板の一側部には、設定値の変更に関わるリセットスイッチ１０４，設定キースイッチ１０５及び設定表示部１０６が集約配置されている。さらにいうと、前面扉１２は筐体１１の左側部の開閉軸線を中心として回動可能に支持されており、リセットスイッチ１０４，設定キースイッチ１０５及び設定表示部１０６は、主基板の右部すなわち前面扉１２の開放端側に設けられているため、ホール管理者等が設定値の変更等を容易に行うことができる。
【００７４】
基板ボックス１１０は、主基板を前面側から覆うボックスカバーと、主基板を後面側から覆うボックスケースとが組み合わされて構成されている。ボックスカバー及びボックスケースは、透明な合成樹脂材料によってそれぞれ形成されている。
【００７５】
基板ボックス１１０の前面側すなわちボックスカバーには、その中央部に主基板のＩＣチップ等を収容するための収容部１１１が形成されている。また、収容部１１１の右方には、リセットスイッチ収容部１３１と設定キースイッチ収容部１４１が、上下に隣接して形成されている。リセットスイッチ収容部１３１には、透明な合成樹脂材料によって形成された第１蓋部材１３２がスライド移動可能に支持されており、設定キースイッチ収容部１４１には、透明な合成樹脂材料によって形成された第２蓋部材１４２が回動可能に軸支されている。収容部１１３の下方及び左方には、主基板のソケット１０３と対応する位置に、当該ソケット１０３を挿通するための挿通孔１１２が形成されている。本スロットマシン１０では、基板ボックス１１０，第１蓋部材１３２及び第２蓋部材１４２が透明な合成樹脂材料によって形成されているため、主基板に搭載されたリセットスイッチ１０４，設定キースイッチ１０５及び設定表示部１０６等が基板ボックス１１０等を介して視認できるようになっている。
【００７６】
基板ボックス１１０の上部には、前後に貫通する横長矩形の第１開口孔部１１８及び第２開口孔部１１９が、左右に並ぶようにしてボックスカバーとボックスケースのそれぞれに形成されている。第１開口孔部１１８の中央左部及び第２開口孔部１１９の中央右部には、基板ボックス１１０を封印するための第１封印部材１２０が、ボックスカバーとボックスケースのそれぞれに設けられている。封印について簡単に説明すると、ボックスカバー及びボックスケースの第１封印部材１２０に封印ピンが挿入された場合、ボックスベースとボックスカバーとが開放不能に結合されるようになっている。そして、主基板を基板ボックス１１０から取り出す場合には、封印ピンの挿入された第１封印部材１２０をボックスカバー及びボックスケースから切断することにより、ボックスベースとボックスカバーの結合状態を解除する。つまり、主基板を基板ボックス１１０から取り出した場合には、第１封印部材１２０の切断された痕跡がボックスベース及びボックスカバーに残ることとなる。故に、基板ボックス１１０の開放を行った旨の履歴をホール側で残しておけば、基板ボックス１１０を確認することで不正な開放が行われた旨を容易に発見することができる。ボックスケースの第１開口孔部１１８及び第２開口孔部１１９には、主制御装置１０１を台座装置１５１に封印するための第２封印部材１２１が、それぞれ２つずつ設けられている。
【００７７】
ここで、リセットスイッチ収容部１３１，設定キースイッチ収容部１４１及び両蓋部材１３２，１４２の構成を、図８〜図１２に基づいてより詳細に説明する。図８は、第１蓋部材１３２を開放した状態を示す要部拡大図、図９は、第１蓋部材１３２を取り外した状態を示す要部斜視図、図１０は、第２溝部１３７ｂ及び案内溝部１４２ｅの形状を示す要部断面斜視図、図１１及び図１２は、第１蓋部材１３２及び第２蓋部材１４２の取付作業を説明するための図である。
【００７８】
リセットスイッチ収容部１３１は、主基板と平行に延びる底板部１３３を有し、該底板部１３３のリセットスイッチ１０４と対応する位置には、リセットスイッチ１０４より若干大きな外径を有する開口孔１３３ａが形成されている。また、リセットスイッチ収容部１３１は、底板部１３３の周縁部から前方に直立形成された矩形枠状の壁部１３５を有している。壁部１３５は、上側壁部１３５ａと右側壁部１３５ｂが同一の前後寸法を有しており、下側壁部１３５ｃと左側壁部１３５ｄが同一の前後寸法を有している。そして、下側壁部１３５ｃ及び左側壁部１３５ｄは、上側壁部１３５ａ及び右側壁部１３５ｂより短い前後寸法となっている。リセットスイッチ収容部１３１の左方には、上側壁部１３５ａから連続して延びる延長壁部１３６が形成されている。上側壁部１３５ａ及び延長壁部１３６には、リセットスイッチ収容部１３１側の側面（すなわち下面）に、左右方向に延びる溝部１３７が形成されている。溝部１３７は、図９及び図１０に示すように、上側壁部１３５ａと右側壁部１３５ｂの境界部から上側壁部１３５ａの中央左部まで延びる断面略コ字状の第１溝部１３７ａと、該第１溝部１３７ａから延長壁部１３６の左端部まで延びるとともに全体として断面略Ｌ字状を有する第２溝部１３７ｂとより構成されている。第２溝部１３７ｂには、上側壁部１３５ａの左端から延長壁部１３６側に向けて所定幅の切欠部１３７ｃが形成されている。溝部１３７は、右端を右側壁部１３５ｂによって閉塞されるとともに左端を延長壁部１３６によって閉塞され、下方にのみ開口した形状となっている。
【００７９】
リセットスイッチ収容部１３１の前面側には、第１蓋部材１３２がスライド移動可能に取り付けられている。第１蓋部材１３２は、透明な合成樹脂材料によって形成されており、横長矩形の平板状に形成された本体部１３２ａを有し、本体部１３２ａの上部左端には、本体部１３２ａから後方に延びる返し板部１３２ｂが形成されている。返し板部１３２ｂは、その前後方向の寸法が第２溝部１３７ｂの前後方向の寸法より若干短くなるように形成されるとともに、その左右方向の寸法が第２溝部１３７ｂの切欠部１３７ｃの左右方向の寸法より若干短くなるように形成されている。本体部１３２ａの右下部には、下方すなわち第２蓋部材１４２側に向かって延びる縦長平板状の突出部１３２ｃが形成されている。また、第２蓋部材１４２の前面には、左右方向に延びる案内溝部１４２ｅが形成されており、返し板部１３２ｂが第２溝部１３７ｂに挿入されるとともに突出部１３２ｃが案内溝部１４２ｅに挿入された状態では、第１蓋部材１３２がリセットスイッチ収容部１３１に対して左右方向にスライド移動可能に支持され、第１蓋部材１３２のスライド移動によってリセットスイッチ収容部１３１の前面開放側を開放したり閉鎖したりすることができるようになっている。かかる構成においては、第１蓋部材１３２が図６に示す閉鎖位置にある場合に、第１蓋部材１３２によってリセットスイッチ１０４の前面側が覆われ、第１蓋部材１３２が図７に示す開放位置にある場合に、リセットスイッチ１０４が露出することとなる。
【００８０】
設定キースイッチ収容部１４１は、主基板と平行に延びる底板部１４３を有し、該底板部１４３の設定キースイッチ１０５と対応する位置には、設定キースイッチ１０５より若干大きな外径を有する開口孔１４３ａが形成されている。また、設定キースイッチ収容部１４１は、底板部１４３の周縁部から前方に直立形成された矩形枠状の壁部１４５を有している。本実施の形態では、リセットスイッチ収容部１３１の下側壁部１３５ｃを設定キースイッチ収容部１４１の上側壁部として共通使用することにより、リセットスイッチ１０４，設定キースイッチ１０５，リセットスイッチ収容部１３１及び設定キースイッチ収容部１４１を集約配置している。壁部１４５のうち上側壁部及び下側壁部には、設定キースイッチ１０５側すなわち設定キースイッチ収容部１４１の内側に、複数の補強リブ１４６が形成されている。補強リブ１４６は、底板部１４３から対応する壁部に沿って形成されており、前記壁部より若干短い前後寸法を有している。より詳しくは、補強リブ１４６の前後寸法は、前記壁部の前後寸法から第２蓋部材１４２の厚さ寸法を減じたものとなっている。壁部１４５のうち右側壁部には、中央部に凹部が形成されており、当該凹部を挟むようにして上下一対の軸受部１４７ａ，１４７ｂが形成されている。壁部１４５のうち左側壁部は、周囲の壁部と比して前後寸法が短く形成されている。具体的には、左側壁部の前後寸法は、周囲の壁部の前後寸法から第２蓋部材１４２の厚さ寸法を減じたもの、すなわち補強リブ１４６の前後寸法と等しいものとなっている。
【００８１】
設定キースイッチ収容部１４１の前面側には、第２蓋部材１４２が回動可能に取り付けられている。第２蓋部材１４２は、透明な合成樹脂材料によって形成されており、横長矩形の平板状に形成された本体部１４２ａと、本体部１４２ａの一側部に形成された左右一対の支軸１４２ｂ，１４２ｃとを有している。そして、各軸受部１４７ａ，１４７ｂに各支軸１４２ｂ，１４２ｃが挿入された状態では、第２蓋部材１４２が設定キースイッチ収容部１４１に対して両支軸１４２ｂ，１４２ｃを結ぶ上下方向へ延びる開閉軸線を中心として左右方向に回動可能に支持され、第２蓋部材１４２の回動によって設定キースイッチ収容部１４１の前面開放側を開放したり閉鎖したりすることができるようになっている。かかる構成においては、第２蓋部材１４２が図６に示す閉鎖位置にある場合に、第２蓋部材１４２によって設定キースイッチ１０５の前面側が覆われ、第２蓋部材１４２が図７に示す開放位置にある場合に、設定キースイッチ１０５が露出することとなる。また、第２蓋部材１４２が閉鎖位置にある場合には、第２蓋部材１４２の本体部１４２ａ後面が設定キースイッチ収容部１４１の補強リブ１４６先端面及び左側壁部の先端面と当接し、本体部１４２ａの前面と上側壁部及び下側壁部の先端面とが同一平面に位置するようになっている。本体部１４２ａの上部には、前後に貫通するとともに上方に開口する開口部１４２ｄが形成されている。開口部１４２ｄは、図１２に示すように、第１蓋部材１３２の突出部１３２ｃを前後に挿通させることが可能な形状を有している。加えて、本体部１４２ａの前面には、開口部１４２ｄを跨ぐようにして左右方向に延びる断面略Ｌ字状の案内溝部１４２ｅが形成されている。案内溝部１４２ｅの左右両端部には閉塞壁部１４２ｆが形成されており、案内溝部１４２ｅは、開口部１４２ｄと対応する位置を除いて上方にのみ開放された形状となっている。第２蓋部材１４２の本体部１４２ａ後面には、支軸１４２ｂ，１４２ｃの形成された辺部及び開口部１４２ｄを除く各辺部に沿うようにして、遮蔽リブ１４２ｇが形成されている。遮蔽リブ１４２ｇは、第２蓋部材１４２が閉鎖位置にある場合に、設定キースイッチ収容部１０５の補強リブ１４６より内側であって、上下方向における補強リブ１４６の設定キースイッチ１０５と対向する側面と当接する位置に形成されている。
【００８２】
ここで、第１蓋部材１３２と第２蓋部材１４２の取り付け作業について説明する。
【００８３】
第２蓋部材１４２を設定キースイッチ収容部１４１に取り付ける場合には、設定キースイッチ収容部１４１の各軸受部１４７ａ，１４７ｂに第２蓋部材１４２の各支軸１４２ｂ，１４２ｃを挿入する。これにより、第２蓋部材１４２が設定キースイッチ収容部１４１に対して左右方向に回動可能に支持される。
【００８４】
第１蓋部材１４１をリセットスイッチ収容部１４１に取り付ける場合には、図１１（ａ）に示すように、先ず第２蓋部材１４２を設定キースイッチ収容部１４１から開放し、かかる状態で延長壁部１３６に形成された第２溝部１３７ｂの切欠部１３７ｃに第１蓋部材１３２の返し板部１３２ｂを挿入する。その後、図１１（ｂ）に示すように、返し板部１３２ｂと切欠部１３７ｃが上下方向においてずれた位置関係となるよう、第１蓋部材１３２を左方に移動させる。これにより、返し板部１３２ｂが第２溝部１３７ｂに係止され、第１蓋部材１３２が落下することを防止できる。そして、図１２（ａ）に示すように、第１蓋部材１３２の突出部１３２ｃが第２蓋部材１４２の開口部１４２ｄを挿通するように第１蓋部材１３２を位置決めした上で、第２蓋部材１４２を閉鎖側（すなわち左向き）に回動させて設定キースイッチ収容部１４１を閉鎖する。これにより、返し板部１３２ｂが第２溝部１３７ｂに挿入されるとともに突出部１３２ｃ先端が案内溝部１４２ｅに挿入された状態となり、図１２（ｂ）に示すように、第１蓋部材１３２がリセットスイッチ収容部１３１に対して左右方向にスライド移動可能に支持される。なお、第２蓋部材１４２の開口部１４２ｄは、第１蓋部材１３２の突出部１３２ｃが第２蓋部材１４２の開口部１４２ｄを挿通するように第１蓋部材１３２を位置決めした場合に、第１蓋部材１３２の返し板部１３２ｂと切欠部１３７ｃが上下方向においてずれた位置関係となる位置に形成されている。このため、第１蓋部材１３２を前記位置関係となるよう位置決めした場合であっても、返し板部１３２ｂが第２溝部１３７ｂに係止され、第１蓋部材１３２が落下することを防止できる。
【００８５】
次に、第１蓋部材１３２及び第２蓋部材１４２の作用を説明する。
【００８６】
第１蓋部材１３２を閉鎖側（すなわち右向き）にスライド移動させた場合、第１蓋部材１３２の本体部１３２ａ右側面がリセットスイッチ収容部１３１の右側壁部１３５ｂと当接し、閉鎖側へのそれ以上のスライド移動が規制される。第１蓋部材１３２が閉鎖側への移動を規制される閉鎖位置（図１２（ｂ）参照）にある場合には、第１蓋部材１３２によってリセットスイッチ１０４の前面側が覆われるようになっている。このとき、第１蓋部材１３２は、返し板部１３２ｂが第２溝部１３７ｂと係止することによって下側への移動が規制されるようになっている。また、第１蓋部材１３２と第２蓋部材１４２が共に閉鎖位置にある場合には、図１２（ｂ）に示すように、第１蓋部材１３２の突出部１３２ｃが、第２蓋部材１４２の本体部１４２ａ前方であって第２蓋部材１４２の開口部１４２ｄから右方にずれた位置に位置するようになっている。
【００８７】
第１蓋部材１３２と第２蓋部材１４２が共に閉鎖位置にある状態から第１蓋部材１３２を開放側（すなわち左向き）にスライド移動させた場合、図８に示すように、第１蓋部材１３２の返し板部１３２ｂ左側面が第２溝部１３７ｂ左端面と当接し、開放側へのそれ以上の移動が規制される。第１蓋部材１３２が開放側への移動を規制される開放位置にある場合には、リセットスイッチ１０４が露出し、当該リセットスイッチ１０４を操作することができる。また、第１蓋部材１３２が開放位置にあって第２蓋部材１４２が閉鎖位置にある場合には、第１蓋部材１３２の突出部１３２ｃが、第２蓋部材１４２の前方であって第２蓋部材１４２の開口部１４２ｄから左方にずれた位置に位置するようになっている。
【００８８】
第２蓋部材１４２を閉鎖側（すなわち左向き）に回動させた場合、第２蓋部材１４２の本体部１４２ａ後面が設定キースイッチ収容部１４１の補強リブ１４６先端面と当接し、閉鎖側へのそれ以上の回動が規制される。第２蓋部材１４２が閉鎖側への移動を規制される閉鎖位置（図８参照）にある場合には、第２蓋部材１４２によって設定キースイッチ１０５の前面側が覆われるとともに、第２蓋部材１４２の本体部１４２ａの前面と壁部１４５の先端面とが同一平面に位置するようになっている。
【００８９】
図１２（ｂ）に示すように第１蓋部材１３２が閉鎖位置にある場合には、第２蓋部材１４２の本体部１４２ａ前方に第１蓋部材１３２の突出部１３２ｃが位置するため、第２蓋部材１４２の開放側への移動が規制される。また、図８に示すように第１蓋部材１３２が開放位置にある場合についても、第２蓋部材１４２の本体部１４２ａ前方に第１蓋部材１３２の突出部１３２ｃが位置するため、第２蓋部材１４２の開放側への移動が規制される。一方、第１蓋部材１３２を、当該第１蓋部材１３２の突出部１３２ｃと第２蓋部材１４２の開口部１４２ｄとが前後に重なる位置まで移動させた場合（図１２（ａ）参照）には、第１蓋部材１３２の突出部１３２ｃが第２蓋部材１４２の本体部１４２ａ前方にないため、突出部１３２ｃによる第２蓋部材１４２の規制が解除され、第２蓋部材１４２を開放側（すなわち右向き）に回動させることができる。なお、第１蓋部材１３２の突出部１３２ｃと第２蓋部材１４２の開口部１４２ｄとが前後に重なる規制解除位置以外の位置に第１蓋部材１３２が位置する場合には、いずれの場合であっても突出部１３２ｃが第２蓋部材１４２の本体部１４２ａ前方に位置し、第２蓋部材１４２の開放側への移動が規制される。このように、第２蓋部材１４２は、第１蓋部材１３２が規制解除位置にある場合に限り、開放側へ移動させることが可能となる。
【００９０】
第１蓋部材１３２が規制解除位置にある状況下で第２蓋部材１４２を開放側に回動させた場合、第２蓋部材１４２の本体部１４２ａのうち支軸１４２ｂ，１４２ｃの形成された側面が設定キースイッチ収容部１４１の壁部１４５側面と当接し、開放側へのそれ以上の回動が規制される。第２蓋部材１４２がそれ以上の開放側への移動を規制される開放位置（図１１（ｂ）参照）にある場合には、設定キースイッチ１０５が露出し、当該設定キースイッチ１０５を操作することができる。なお、例えば第２蓋部材１４２が開放位置にある場合と言うような第１蓋部材１３２の突出部１３２ｃ下方に第２蓋部材１４２の案内溝部１４２ｅが位置していない状況においては、第１蓋部材１３２が落下する可能性が生じるが、図１１（ａ）に示すような第１蓋部材１３２の返し板部１３２ｂと第２溝部１３７ｂの切欠部１３７ｃとが上下方向において一致する位置以外の位置に第１蓋部材１３２を移動させることにより、返し板部１３２ｂを第２溝部１３７ｂと係止させることができ、第１蓋部材１３２が落下することを防止できる。
【００９１】
次に、ホール管理者等が設定値を変更する際の具体的な作業について説明する。
【００９２】
設定値を変更する場合には、先ず前面扉１２を筐体１１から開放し、電源が投入されている場合には電源スイッチ７１をＯＦＦ操作して電源を遮断する。その後、第１蓋部材１３２を閉鎖位置から規制解除位置に移動させた上で第２蓋部材１４２を閉鎖位置から右向きに回動させて開放位置に移動させ、設定キースイッチ１０５を露出させる。そして、設定キーを設定キースイッチ１０５へ挿入してＯＮ操作する。かかる状態で電源スイッチ７１をＯＮ操作して電源を投入することにより、スロットマシン１０の設定値を変更できるようになるとともに、設定表示部１０６にそのときの設定値（本実施の形態では「１」）が表示される。
【００９３】
電源スイッチ７１をＯＮ操作して電源を投入した後、第１蓋部材１３２を規制解除位置から開放位置に移動させ、リセットスイッチ１０４を露出させる。そして、リセットスイッチ１０４を押し操作することにより、ホール管理者等の望む設定値に変更する。このとき、設定表示部１０６には、リセットスイッチ１０４の操作に伴って変更された設定値が表示される。ホール管理者等の望む設定値が設定表示部１０６に表示された場合には、スタートレバー４１を操作して設定値を確定させる。その後、設定キースイッチ１０５をＯＦＦ操作した上で設定キースイッチ１０５から設定キーを抜き取り、第１蓋部材１３２を規制解除位置に移動させた上で第２蓋部材１４２を閉鎖位置に移動させる。そして、第１蓋部材１３２を閉鎖位置に移動させた後に前面扉１２を閉鎖する。なお、本スロットマシン１０には主基板１０２に搭載された設定表示部１０６を除いて設定値の表示される部位がないため、設定値の確認は上記設定表示部１０６を通じて行う必要がある。
【００９４】
ちなみに、電源が投入されている状況下でホール管理者等が設定キーを設定キースイッチ１０５へ挿入してＯＮ操作した場合には、そのときの設定値が設定表示部１０６に表示され、設定値を確認することができる。このとき、リセットスイッチ１０４を押し操作したとしても設定値を変更することはできない。
【００９５】
ここで、上記設定変更作業が行われた場合に主制御装置１０１が実行する当選確率設定処理について、図１３のフローチャートを用いて説明する。主制御装置１０１は、停電からの復旧や電源スイッチ７１のＯＮ操作によって電源が投入された場合、設定キーが設定キースイッチ１０５に挿入されてＯＮ操作されているか否かを判定する。ＯＮ操作がなされている場合には、強制的ＲＡＭクリア処理としてＲＡＭに記憶されたデータ（設定値に関するデータも含む）を全てクリアし、その後に当選確率設定処理を行う。本スロットマシン１０には、「設定１」から「設定６」まで６段階の当選確率が予め用意されており、当選確率設定処理では、いずれの当選確率に基づいて内部処理を実行させるのかを設定する。
【００９６】
先ず、ステップＳ１０１では、次回のタイマ割込みを許可する。その後、ステップＳ１０２にて現在の設定値を読み込むとともに、ステップＳ１０３では現在の設定値を設定表示部１０６に表示する。但し、設定キーが挿入されてＯＮ操作された直後の処理では、先の強制的ＲＡＭクリア処理によりＲＡＭのデータがクリアされているため、設定表示部１０６に表示される設定値は初期値の「１」である。
【００９７】
ステップＳ１０４ではスタートレバー４１が操作されたか否かを判定し、操作されていない場合にはステップＳ１０５〜ステップＳ１０６に示す設定更新処理を行う。ステップＳ１０５では、リセットスイッチ１０４が操作されたか否かを判定する。リセットスイッチ１０４が操作されていない場合にはそのままステップＳ１０３に戻り、操作された場合にはステップＳ１０６にて設定値を１更新した後にステップＳ１０３に戻る。つまり、設定更新処理では、リセットスイッチ１０４が操作される毎に設定値が１更新され、更新された設定値が設定表示部１０６に表示される。なお、設定値が「６」のときにリセットスイッチ１０４が操作された場合、設定値は「１」に更新される。
【００９８】
ステップＳ１０４にてスタートレバー４１が操作された場合には、ステップＳ１０７にて設定キーのＯＮ操作が継続してなされているか否かを判定する。設定キーのＯＮ操作が継続してなされている場合にはそのまま待機し、ＯＮ操作が終了された場合（ＯＦＦ操作された場合）にはステップＳ１０８にて次回のタイマ割込みを禁止する。その後、ステップＳ１０９にて設定値を保存し、ステップＳ１１０にてＲＡＭに記憶された設定値以外のデータをクリアして本処理を終了する。
【００９９】
以上詳述した本実施の形態によれば、以下の優れた効果を奏する。
【０１００】
リセットスイッチ収容部１３１の前面側に第１蓋部材１３２を設けてリセットスイッチ１０４の前面側が被覆される構成とするとともに、設定キースイッチ収容部１４１の前面側に第２蓋部材１４２を設けて設定キースイッチ１０５の前面側が被覆される構成とした。かかる構成とすることにより、仮に設定値を不正に変更すべく筐体１１と前面扉１２の隙間から針金等が挿入されたとしても、両蓋部材１３２，１４２によって前記針金等をリセットスイッチ１０４や設定キースイッチ１０５に到達させることを困難なものとすることができる。
【０１０１】
確かに、リセットスイッチ１０４と設定キースイッチ１０５の前面側を１の蓋部材で覆う構成とした場合であっても、針金等をリセットスイッチ１０４や設定キースイッチ１０５に到達させることを困難なものとすることができる。しかしながら、かかる構成においては、針金等によって当該蓋部材が開放位置側に引っ張られた場合、リセットスイッチ１０４と設定キースイッチ１０５が共に露出して操作可能な状態となってしまう。一方、それぞれを別の蓋部材で被覆する本実施形態においては、各蓋部材を開放位置側に引っ張る必要が生じるため、１の蓋部材で被覆する構成と比してリセットスイッチ１０４と設定キースイッチ１０５を共に露出させることを困難なものとすることができる。
【０１０２】
かかる一方、このように両蓋部材１３２，１４２によってリセットスイッチ１０４及び設定キースイッチ１０５の前面側を覆う構成とした場合、ホール管理者等が設定変更を行う際の作業が煩雑化する可能性が懸念されるが、主基板の一側部にリセットスイッチ１０４と設定キースイッチ１０５を集約配置するとともに、第１蓋部材１３２と第２蓋部材１４２を隣接して配置したため、前記作業の煩雑化を抑制することが可能となる。
【０１０３】
第１蓋部材１３２が閉鎖位置から開放位置に移動する向きと、第２蓋部材１４２が閉鎖位置から開放位置に移動する向きとが逆向きとなるように第１蓋部材１３２と第２蓋部材１４２を取り付けた。かかる構成とすることにより、筐体１１と前面扉１２の隙間から針金等が挿入され、一方の蓋部材が開放位置側に移動するよう前記針金等により引っ張られたとしても、他方の蓋部材が開放位置に移動することを防止することができる。故に、仮に前面扉１２を開放することなく又は少し開放させて筐体１１と前面扉１２の隙間から針金等が挿入されたとしても、リセットスイッチ１０４と設定キースイッチ１０５を共に露出させることを困難なものとすることができ、設定が不正に変更されることを好適に抑制することが可能となる。また、針金等を用いて両蓋部材１３２，１４２を開放位置に移動させるためには、筐体１１と前面扉１２の隙間から針金等を複数挿入させ、これら針金等を異なる向きに引っ張る必要がある。故に、不正行為を目立たせることが可能となり、不正行為を容易に発見することが可能となる。
【０１０４】
第１蓋部材１３２の本体部１３２ａの右下部に、第２蓋部材１４２側に向かって延びる突出部１３２ｃを設け、第２蓋部材１４２が開放側に回動することを規制する構成とした。かかる構成においては、第１蓋部材１３２を規制解除位置まで移動させない限り、第２蓋部材１４２を開放側に回動させることができない。また、両蓋部材１３２，１４２を開放位置に移動させるためには、第１蓋部材１３２→第２蓋部材１４２→第１蓋部材１３２と言う特定の順序で各蓋部材１３２，１４２を移動させる必要があるとも言える。このように、各蓋部材１３２，１４２を特定の順序で移動させることを条件としてリセットスイッチ１０４及び設定キースイッチ１０５が露出する構成とすることにより、筐体１１から前面扉１２を開放することなく又は僅かに開放させ、筐体１１と前面扉１２の隙間から針金等を用いて両蓋部材１３２，１４２を開放位置まで移動させる不正を困難なものとすることができる。
【０１０５】
第２蓋部材１４２には、第１蓋部材１３２が閉鎖位置と開放位置の間の規制解除位置に位置する場合に限って開放側に回動可能となるように、開口部１４２ｄを形成した。かかる構成とすることにより、設定値が不正に変更されることを好適に抑制することが可能となる。筐体１１と前面扉１２との隙間から針金等が挿入され、第１蓋部材１３２が開放側に移動するよう前記針金等により引っ張られた場合、第１蓋部材１３２は規制解除位置を通過し開放位置でそれ以上の開放側への移動が規制されることとなるが、第１蓋部材１３２が開放位置にある場合、第２蓋部材１４２は開放側への回動が規制されたままであり、第２蓋部材１４２を開放側に回動させることができない。したがって、筐体１１から前面扉１２を開放することなく設定値を変更する不正行為者は、第１蓋部材１３２の変位状況を視認できない状況下で第１蓋部材１３２を規制解除位置まで移動させ、さらに第２蓋部材１４２を開放側に回動させるために第１蓋部材１３２を当該規制解除位置で位置決め保持しなければならない。故に、リセットスイッチ１０４及び設定キースイッチ１０５を露出させることを困難なものとすることができ、設定値が不正に変更されることを好適に抑制することが可能となる。
【０１０６】
リセットスイッチ１０４の前面側を覆う第１蓋部材１３２に、第２蓋部材１４２の開放側への回動を規制する突出部１３２ｃを形成したため、ホール管理者等の作業が煩雑化することを抑制することが可能となる。リセットスイッチ１０４は、設定値を変更する場合の他に、スロットマシン１０をエラー状態から復帰させる場合にも操作されるスイッチである。つまり、リセットスイッチ１０４は、ホールの営業時間内に操作される可能性があるとともに、設定キースイッチ１０５と比して操作される頻度が高い。そこで、リセットスイッチ１０４の前面側を覆う第１蓋部材１３２に突出部１３２ｃを形成することにより、第２蓋部材１４２を開放側に回動させることなく第１蓋部材１３２を開放側に移動させることが可能となり、ホール管理者等がスロットマシン１０をエラー状態から復帰させる際の作業が煩雑化することを抑制することが可能となる。さらにいうと、設定値を変更する場合には、設定キースイッチ１０５をＯＮ操作した後にリセットスイッチ１０４を操作する必要がある。このため、先に操作される設定キースイッチ１０５を覆う第２蓋部材１４２の回動が後に操作されるリセットスイッチ１０４を覆う第１蓋部材１３２によって規制される構成とすることにより、設定値を不正に変更する不正行為者の意欲を減退させることが可能となり、設定値を不正に変更する不正行為自体の抑止効果を期待できる。
【０１０７】
第１蓋部材１３２に突出部１３２ｃを形成して第２蓋部材１４２の回動を規制する構成としたため、設定値を変更した後に第１蓋部材１３２を第２蓋部材１４２より先に閉鎖位置へと移動させた場合、第１蓋部材１３２の突出部１３２ｃによって第２蓋部材１４２を閉鎖位置に移動させることができない。より詳しくは、第１蓋部材１３２を閉鎖位置に移動させた後に第２蓋部材１４２を閉鎖側に回動させた場合、第１蓋部材１３２の突出部１３２ｃ前方に第２蓋部材１４２が重なった状態となり、第２蓋部材１４２のそれ以上の閉鎖側への移動が規制される。このため、仮に設定値を不正に変更された場合であっても、当該事実を容易に発見することが可能となる。
【０１０８】
第１蓋部材１３２をスライド移動可能に支持する案内溝部１４２ｅを第２蓋部材１４２に設けたため、第２蓋部材１４２が開放位置にある場合等においては、第１蓋部材１３２が第２溝部１３７ｂのみによってスライド移動可能に支持されている状況が生じる。かかる状況下で第１蓋部材１３２の返し板部１３２ｂと第２溝部１３７ｂの切欠部１３７ｃとが上下方向において一致する位置に第１蓋部材１３２を移動させた場合、第１蓋部材１３２に対して上向きの外力を加えていない限りは当該第１蓋部材１３２が落下することとなる。ここで、前面扉１２を開放することなく筐体１１と前面扉１２の隙間から針金等を用いて第１蓋部材１３２を不正に移動させた場合には、第１蓋部材１３２が開放位置又は閉鎖位置にある場合を除いて第１蓋部材１３２の位置を把握することが困難であるため、第１蓋部材１３２を落下させてしまう機会を生じさせることができる。つまり、仮に設定が不正に変更された場合に第１蓋部材１３２の落下という痕跡を残させることが可能となる。故に、不正行為を容易に発見することが可能となる。
【０１０９】
第２蓋部材１４２の開口部１４２ｄを、第１蓋部材１３２が規制解除位置に位置する場合に、第１蓋部材１３２の返し板部１３２ｂと切欠部１３７ｃが上下方向においてずれた位置関係となる位置に形成した。このため、ホール管理者等が設定を変更する際に第１蓋部材１３２を規制解除位置に移動させた場合であっても、返し板部１３２ｂを第２溝部１３７ｂに係止させることができ、第２蓋部材１４２を開放側に回動させても第１蓋部材１３２が落下することを防止できる。
【０１１０】
リセットスイッチ１０４及び設定キースイッチ１０５を主基板に直接搭載したため、主基板とリセットスイッチ１０４を電気的に接続するケーブル等や主基板と設定キースイッチ１０５を電気的に接続するケーブル等が不要となる。この結果、リセットスイッチ１０４や設定キースイッチ１０５を操作するのではなく前記ケーブル等をショートさせて設定を変更する不正を防止することが可能となる。
【０１１１】
設定値を表示する設定表示部１０６を主基板にのみ設けたため、前面扉１２を開放しなければ設定値を確認することができない構成とすることができ、前面扉１２を筐体１１から開放することなく設定を変更する不正を困難なものとすることが可能となる。ホール管理者等は、前面扉１２を筐体１１から開放した上で設定変更操作を行うため、設定表示部１０６に表示される設定値を確認しながらホール管理者等の望む設定値に変更することができる一方、針金等を用いて設定を変更する不正行為者は、設定値を確認することができないため、不正行為者の望む設定値に変更することができないからである。また、設定表示部１０６を主基板に直接搭載する構成としたため、設定表示部と主基板とを電気的に接続するケーブル等が不要となる。この結果、設定表示部と主基板との間に不正基板等を電気的に接続し、実際の設定値と異なる設定値を設定表示部に表示させることでホール管理者等にスロットマシン１０の出率を誤認識させる不正を防止することが可能となる。さらにいうと、上記各不正すなわち遊技者側の不正のみならず、例えばホール管理者等が遊技者に対して行う不正すなわちホール側の不正をも抑制することが可能となる。例えば、前面扉１２の後面側に設定表示部を設ける構成としても、針金等を用いて設定が変更される不正を困難なものとすることが可能である。しかしながら、例えばホール管理者等が設定表示部と主基板との間に不正基板等を設け、スロットマシン１０の実際の設定値と異なる設定値を設定表示部に表示可能な構成とした場合、遊技者等は、設定表示部に表示される設定値を通じてスロットマシン１０の設定値を誤認識し、遊技者等の想定する出率より低い出率での遊技を強いられる可能性がある。一方、主基板に設定表示部１０６を直接搭載した構成においては、基板ボックス１１０が封印されているためにホール管理者等であっても上記不正を行うことができず、遊技者等が不利益を被る不具合を回避することができる。
【０１１２】
設定表示部１０６を、リセットスイッチ１０４及び設定キースイッチ１０５の近傍に配置したため、ホール管理者等は視線をそれほど移動させることなく設定変更操作を行うことができる。故に、設定変更操作を容易なものとすることが可能となる。また、設定表示部１０６，リセットスイッチ１０４及び設定キースイッチ１０５を主基板の一側部に集約配置したため、設定変更に関わる上記各部材を主基板に直接搭載したとしても、ＣＰＵ等の電子部品の配置に関する設計自由度が低下することを抑制することが可能となる。さらにいうと、前面扉１２は筐体１１の左側部の開閉軸線を中心として回動可能に支持されており、リセットスイッチ１０４，設定キースイッチ１０５及び設定表示部１０６は、主基板の右部すなわち前面扉１２の開放端側に設けられているため、ホール管理者等が設定値の変更等を容易に行うことができる。
【０１１３】
主制御装置１０１を筐体１１内部において上部奥側に配置したため、筐体１１の前端部すなわち筐体１１と前面扉１２の隙間からリセットスイッチ１０４及び設定キースイッチ１０５までの距離を長くすることが可能となり、針金等を用いてリセットスイッチ１０４及び設定キースイッチ１０５を操作することを困難なものとすることが可能となる。
【０１１４】
本発明の構成は、上述の実施の形態（以下、第１の実施の形態という）に限定されるものではなく、種々の変更が可能である。例えば、図１４〜図１６は、他の実施の形態（以下、第２の実施の形態という）を説明する図である。
【０１１５】
図１４（ａ）は、第１蓋部材１３２及び第２蓋部材２４２が閉鎖位置にある場合を示す要部斜視図、図１４（ｂ）は、第１蓋部材１３２及び第２蓋部材２４２が開放位置にある場合を示す要部斜視図、図１５及び図１６は、第１蓋部材１３２及び第２蓋部材２４２の作用を説明するための図である。なお、第２の実施の形態において、第１の実施の形態と同様の構成要素には同一の符号を付することでその詳細な説明を省略する。
【０１１６】
リセットスイッチ収容部１３１及び第１蓋部材１３２は、上記第１の実施の形態と同一構成を有している。設定キースイッチ収容部２４１は、左側壁部に上下一対の軸受部２４７ａ，２４７ｂが形成されており、第２蓋部材２４２は、上記第１の実施の形態と同様に左右方向に回動可能に軸支されているものの、左向きに回動させた場合に設定キースイッチ１０５が露出し、右向きに回動させた場合に設定キースイッチ１０５の前面側が覆われるようになっている。つまり、設定キースイッチ収容部２４１には、上記第１の実施の形態と逆向きに第２蓋部材２４２が軸支されている。また、第２蓋部材２４２と下側の軸受部２４７ｂとには、第２蓋部材２４２を閉鎖位置側に付勢するコイルバネ（図示略）が設けられている。
【０１１７】
第２蓋部材２４２は、透明な合成樹脂材料によって形成されており、横長矩形の平板状に形成された本体部２４２ａと、本体部２４２ａの一側部に形成された左右一対の支軸２４２ｂ，２４２ｃとを有している。本体部２４２ａの上部には、前後に貫通するとともに上方に開口する開口部２４２ｄが形成されている。開口部２４２ｄは、図１５（ｂ）に示すように、第１蓋部材１３２の突出部１３２ｃを前後に挿通させることが可能な形状を有している。本体部２４２ａの前面には、開口部２４２ｄを跨ぐようにして左右方向に延びる断面略Ｌ字状の案内溝部２４２ｅが形成されている。案内溝部２４２ｅの左右両端部には閉塞壁部２４２ｆが形成されており、案内溝部２４２ｅは、開口部２４２ｄと対応する位置を除いて上方にのみ開放された形状となっている。本体部２４２ａの後面には、支軸２４２ｂ，２４２ｃの形成された辺部、開口部２４２ｄ及び前記辺部と開口部２４２ｄとの間の辺部を除く各辺部に沿うようにして、遮蔽リブ２４２ｇが形成されている。また、本体部２４２ａの後面には、支軸２４２ｂ，２４２ｃの形成された辺部と開口部２４２ｄとの間に、左右方向に延びる断面略Ｌ字状のストッパ部２４２ｈが形成されている。ストッパ部２４２ｈは、開口部２４２ｄ側の端部に閉塞壁部２４２ｉが形成されており、上方及び左方（支軸２４２ｂ，２４２ｃの形成された開閉中心側）に開放された形状となっている。
【０１１８】
ここで、第１蓋部材１３２と第２蓋部材２４２の取り付け作業については上記第１の実施の形態と同じため説明を省略し、両蓋部材１３２，２４２を開放位置に移動させる際の作業について説明する。
【０１１９】
両蓋部材１３２，２４２が閉鎖位置にある状況（図１５（ａ）参照）から両蓋部材１３２，２４２を開放位置に移動させる場合には、第１蓋部材１３２を、当該第１蓋部材１３２の突出部１３２ｃと第２蓋部材２４２の開口部２４２ｄとが前後に重なる規制解除位置まで移動させ、突出部１３２ｃによる第２蓋部材２４２の規制を解除する（図１５（ｂ）参照）。そして、第２蓋部材２４２を左向きに回動させて開放位置に移動させる（図１６（ａ）参照）。その後、第２蓋部材２４２を開放位置にて位置決め保持した状態で第１蓋部材１３２を開放位置に移動させ、第２蓋部材２４２のストッパ部２４２ｈに第１蓋部材１３２の突出部１３２ｃを挿通させる（図１６（ｂ）参照）。かかる状況下では、第２蓋部材２４２の閉鎖側への回動がストッパ部２４２ｈと突出部１３２ｃとの係止により規制されるため、ホール管理者等がコイルバネの付勢力に抗して第２蓋部材２４２を開放位置にて位置決め保持せずとも、両蓋部材１３２，２４２を開放位置にて位置決め保持することができる。
【０１２０】
以上詳述した第２の実施の形態においては、上述した第１の実施の形態における作用効果に加えて、以下の優れた効果を奏する。
【０１２１】
第２蓋部材２４２の本体部２４２ａ後面にストッパ部２４２ｈを設け、両蓋部材１３２，２４２が開放位置にある場合に第１蓋部材１３２の突出部１３２ｃと第２蓋部材２４２のストッパ部２４２ｈが係止する構成とした。かかる構成とすることにより、第２蓋部材２４２の閉鎖側への回動を第１蓋部材１３２により規制しつつ両蓋部材１３２，２４２を開放位置にて位置決め保持できるため、設定値を変更する際の作業が煩雑化することを抑制することが可能となる。
【０１２２】
なお、上述した各実施の形態の記載内容に限定されず、例えば次のように実施してもよい。
【０１２３】
（１）上記各実施の形態では、リセットスイッチ１０４と設定キースイッチ１０５を主制御装置１０１に直接搭載する構成としたが、電源ボックス７０に設ける構成としても良いし、前面扉１２の後面側に設ける構成としても良い。これら構成とした場合であっても、リセットスイッチ１０４と設定キースイッチ１０５を上述した第１蓋部材と第２蓋部材によって覆う構成とすれば、上記各実施の形態と同様の作用効果を奏することができる。
【０１２４】
（２）上記各実施の形態では、リセットスイッチ１０４と設定キースイッチ１０５を上下に並ぶように配置したが、左右に並ぶように配置しても良いことは言うまでもない。左右に並ぶように配置した場合には、第１蓋部材を上下にスライド移動可能に支持される構成とするとともに、第２蓋部材を上下に回動可能に支持される構成とすれば、上記各実施の形態と同様の作用効果を奏することが可能となる。
【０１２５】
（３）上記各実施の形態では、リセットスイッチ１０４の前面側を覆う第１蓋部材１３２が設定キースイッチ１０５の前面側を覆う第２蓋部材１４２，２４２の開放側への移動を規制する構成としたが、設定キースイッチの前面側を覆う蓋部材がリセットスイッチの前面側を覆う蓋部材の開放側への移動を規制する構成としても良い。例えば上記各実施の形態において、リセットスイッチ１０４と設定キースイッチ１０５の配置を入れ替える。但し、かかる構成とした場合には、スロットマシン１０をエラー状態から復帰させる場合に、設定キースイッチの前面側を覆う蓋部材を規制解除位置に移動させた上でリセットスイッチの前面側を覆う蓋部材を開放側に移動させなければならないため、エラー状態から復帰させる際の作業が煩雑化する可能性が懸念される。
【０１２６】
（４）上記各実施の形態では、第１蓋部材１３２を、本体部１３２ａの上部と突出部１３２の下部がスライド移動可能に支持される構成としたが、かかる構成に限定されるものではなく、第１蓋部材１３２のスライド移動可能に支持される部位は任意である。
【０１２７】
（５）上記各実施の形態では、第２蓋部材１４２，２４２に開口部１４２ｄ，２４２ｄを形成し、第１蓋部材１３２を規制解除位置まで移動させた場合に第２蓋部材１４２，２４２の開放側への移動規制が解除される構成としたが、かかる構成を変更する。すなわち、第２蓋部材に開口部を形成するのではなく延長壁部及び第２溝部を左方に延長し、第１蓋部材の突出部と第２蓋部材が前後に重ならない位置まで第１蓋部材をスライド移動可能な構成とする。かかる構成とした場合であっても、第１蓋部材を前記位置まで移動させれば第２蓋部材の開放側への移動規制が解除されるため、上記各実施の形態と同様の作用効果を奏することができる。
【０１２８】
（６）上記各実施の形態では、第１蓋部材１３２を閉鎖位置から開放側に移動させた場合、第２溝部１３７ｂによって開放側へのそれ以上の移動が規制される構成としたが、規制されない構成としても良い。具体的には、第２溝部及び第２蓋部材の案内溝部を左方に開放された形状とする。かかる構成とした場合には、針金等を用いて第１蓋部材１３２が開放側に過度に引っ張られた場合に、第１蓋部材の返し板部と第２溝部の係止が解除されるとともに第１蓋部材の突出部と案内溝部の係止が解除され、第１蓋部材が落下することとなる。故に、上記各実施の形態と同様、不正がなされた際にその痕跡を残すことが可能となる。なお、かかる構成とした場合には、第１蓋部材を組み付ける場合に第２溝部の左方から第１蓋部材の返し板部を挿入することができるため、第２溝部に切欠部を設けずとも良い。
【０１２９】
（７）上記各実施の形態では、第２蓋部材１４２，２４２の前面側に第１蓋部材１３２をスライド移動可能に支持する案内溝部１４２ｅ，２４２ｅを設けたが、第２蓋部材１４２，２４２の後面側に設けても良いことは言うまでもない。
【０１３０】
（８）上記第１の実施の形態において、第１蓋部材１３２と第２蓋部材１４２のうち少なくとも一方に閉鎖側に付勢するコイルバネを設ける構成としても良いことは言うまでもない。
【０１３１】
（９）上記各実施の形態では、リセットスイッチ１０４と設定キースイッチ１０５を主制御装置１０１に直接搭載し、筐体１１から前面扉１２を開放した際に前方から両スイッチ１０４，１０５が視認可能となる構成としたが、かかる構成を変更する。すなわち、電源ボックスの後面側にリセットスイッチ及び設定キースイッチを設け、これらスイッチを上述した第１蓋部材と第２蓋部材によって覆う構成とする。かかる構成においては、筐体と前面扉の隙間から針金等が挿入された場合に、両蓋部材に加えて電源ボックスによっても両スイッチへの針金等の到達を阻止することができる。故に、設定が不正に変更されることを好適に抑制することが可能となる。
【０１３２】
（１０）上記各実施の形態では、設定値を表示する機能を設定表示部１０６のみが有する構成としたが、設定表示部１０６に加えて、例えばクレジット表示部６０に設定値を表示する機能を付与する構成としても良い。かかる構成とした場合であっても、主基板１０２に直接搭載された設定表示部１０６に表示される設定値を確認することで正規の設定値を把握することができるため、ホール管理者等が遊技者等に対して行う不正を抑制することが可能となる。但し、設定値を不正に変更する不正行為者がクレジット表示部６０に表示される設定値を確認しながら不正行為者の望む設定値に変更する可能性が懸念される。このため、主基板に加えて他の部材にも設定表示部を設ける構成とする場合には、筐体内部又は前面扉の後面に設定表示部を設けることが望ましい。
【０１３３】
（１１）上記各実施の形態では、設定表示部１０６を主基板１０２の前面右側部に設ける構成としたが、前面左側部に設ける構成としても良いし、前面中央部に設ける構成としても良く、配置する位置は任意である。
【０１３４】
（１２）上記各実施の形態では、設定キースイッチ１０５をＯＮ操作している状態で電源を投入した場合、強制的ＲＡＭクリア処理を行って設定値を「１」とする構成としたが、強制的ＲＡＭクリア処理を行わない構成としても良いし、強制的ＲＡＭクリア処理にて設定値以外のデータをクリアする構成としても良い。
【０１３５】
（１３）上記各実施の形態では、リセットスイッチ１０４が操作される毎に設定値が１ずつ更新される構成としたが、かかる構成に限定されるものではなく、設定値がランダムに更新される構成としても良いし、所定時間経過毎に設定値が自動更新され、ホール管理者等の望む設定値が表示された際にリセットスイッチ１０４を操作することで設定値が確定される構成としても良い。
【０１３６】
（１４）上記各実施の形態では、スロットマシン１０について具体化した例を示したが、複数の当選確率を有するとともに設定変更操作を行うことで当選確率を変更することが可能なパチンコ機に適用しても良いし、スロットマシンとパチンコ機とを融合した形式の遊技機に適用しても良い。
【符号の説明】
【０１３７】
１０…遊技機としてのスロットマシン、１１…筐体、３２…循環表示手段を構成すると共に周回体としてのリール、４１…開始操作手段又は始動操作手段としてのスタートレバー、４２〜４４…停止操作手段としてのストップスイッチ、５６〜５８…クレジット投入スイッチ、６５…補助演出部又は補助演出手段を構成する補助表示部、１００…主制御装置ユニット、１０１…制御装置としての主制御装置、１０４…第１操作部としてのリセットスイッチ、１０５…第２操作部としての設定キースイッチ、１０６…設定値表示部としての設定表示部、１１０…基板ボックス、１３１…リセットスイッチ収容部、１３２…第１移動部材としての第１蓋部材、１３２ｃ…規制部としての突出部、１３７…第２支持部としての溝部、１３７ｃ…規制解除部としての切欠部、１４１…設定キースイッチ収容部、１４２…第２移動部材としての第２蓋部材、１４２ｄ…開口部、１４２ｅ…支持部としての案内溝部、１５１…台座装置、２４１…設定キースイッチ収容部、２４２…第２移動部材としての第２蓋部材、２４２ｄ…開口部、２４２ｅ…支持部としての案内溝部、２４２ｈ…係止部としてのストッパ部。
【図１】
0005556879.tif 000002
【図２】
0005556879.tif 000003
【図３】
0005556879.tif 000004
【図４】
0005556879.tif 000005
【図５】
0005556879.tif 000006
【図６】
0005556879.tif 000007
【図７】
0005556879.tif 000008
【図８】
0005556879.tif 000009
【図９】
0005556879.tif 000010
【図１０】
0005556879.tif 000011
【図１１】
0005556879.tif 000012
【図１２】
0005556879.tif 000013
【図１３】
0005556879.tif 000014
【図１４】
0005556879.tif 000015
【図１５】
0005556879.tif 000016
【図１６】
0005556879.tif 000017